(57)【要約】【課題】複数の収納部（収納カセット３１）を備えた貨幣処理装置（紙幣入出金機１）における制御の仕方を新しくし、それによって貨幣処理装置の運用の容易化を図る。【解決手段】複数の収納部はそれぞれ固有情報を含む情報部３００１を有する。固有情報に関連して、貨幣を収納する際の、複数の収納部間の優先順位、及び、貨幣を繰り出す際の、複数の収納部間の優先順位が、それぞれ設定されている。制御部３１５は、筐体１３１内に配置された各収納部の情報部から固有情報を取得すると共に、複数の収納部のそれぞれから取得した固有情報に基づいて、入金処理時に貨幣を収納する収納部の優先順位を決定すると共に、出金処理時に貨幣を収納する収納部の優先順位を決定する。【選択図】図８
2013205908.tif 000002
【特許請求の範囲】
【請求項１】
筐体内の所定の位置にそれぞれ配置されかつ、貨幣を収納すると共に、収納している前記貨幣を繰り出すように構成された複数の収納部と、
前記各収納部に接続される搬送路に沿って前記貨幣を搬送することにより、前記収納部に前記貨幣を収納する入金処理と行うと共に、前記収納部から前記貨幣を繰り出す出金処理を行うように構成された制御部と、を備え、
前記複数の収納部はそれぞれ、当該収納部についての固有情報を含む情報部を有し、
前記固有情報に関連して、前記貨幣を収納する際の、前記複数の収納部間の優先順位、及び、前記貨幣を繰り出す際の、前記複数の収納部間の優先順位が、それぞれ設定されており、
前記制御部は、前記筐体内に配置された前記各収納部の前記情報部から前記固有情報を取得すると共に、前記複数の収納部のそれぞれから取得した前記固有情報に基づいて、前記入金処理時に前記貨幣を収納する前記収納部の優先順位を決定しかつ、当該決定した優先順位に従って前記貨幣を前記収納部に収納すると共に、前記出金処理時に前記貨幣を収納する前記収納部の優先順位を決定しかつ、当該決定した優先順位に従って前記貨幣を前記収納部から繰り出す貨幣処理装置。
【請求項２】
前記収納部は、前記入金処理時に前記貨幣の収納を行う入金用収納部、前記出金処理時に収納している前記貨幣の繰り出しを行う出金用収納部、及び、前記入金処理時に前記貨幣の収納を行うと共に、前記出金処理時に収納している前記貨幣の繰り出しを行うリサイクル用収納部を含んでいる請求項１に記載の貨幣処理装置。
【請求項３】
前記制御部は、前記入金処理時に、前記入金用収納部に優先的に前記貨幣を収納すると共に、当該入金用収納部に前記貨幣を収納できないときには、前記リサイクル用収納部に前記貨幣を収納する請求項２に記載の貨幣処理装置。
【請求項４】
前記制御部は、前記出金処理時に、前記出金用収納部に収納されている前記貨幣を優先的に繰り出すと共に、当該出金用収納部から前記貨幣を繰り出すことができないときには、前記リサイクル用収納部に収納されている前記貨幣を繰り出す請求項２又は３に記載の貨幣処理装置。
【請求項５】
前記制御部は、前記入金処理時に、前記出金用収納部の収納量が所定量以下であるときには、前記リサイクル用収納部に優先的に前記貨幣を収納する請求項４に記載の貨幣処理装置。
【請求項６】
前記制御部は、前記貨幣を前記収納部に補充する補充処理をさらに行い、
前記制御部は、前記補充処理時に、前記出金用収納部に優先的に前記貨幣を収納すると共に、当該出金用収納部に前記貨幣を収納できないときには、前記リサイクル用収納部に前記貨幣を収納する請求項２〜５のいずれか１項に記載の貨幣処理装置。
【請求項７】
前記収納部は、前記入金用収納部を複数、含み、
前記制御部は、前記入金処理時に、複数の前記入金用収納部の内、収納量が少ない入金用収納部に優先的に前記貨幣を収納する請求項２〜６のいずれか１項に記載の貨幣処理装置。
【請求項８】
前記収納部は、前記出金用収納部を複数、含み、
前記制御部は、前記出金処理時に、複数の前記出金用収納部の内、収納量が多い出金収納部から優先的に前記貨幣を繰り出す請求項２〜７のいずれか１項に記載の貨幣処理装置。
【発明の詳細な説明】
【技術分野】
【０００１】
本発明は、複数の収納部を備えた貨幣の処理装置に関する。
【背景技術】
【０００２】
例えば特許文献１には、ＡＴＭ（Automatic teller machine）に搭載される紙幣入出金機が記載されている。この紙幣入出金機は、入金紙幣を収納する入金庫と、出金用の紙幣を繰り出す出金庫と、入出金兼用の紙幣を収納し繰り出すリサイクル庫と、入金庫やリサイクル庫に収納しない入金紙幣や、出金庫から繰り出された紙幣のうち出金しない紙幣を収納するリジェクト庫と、リサイクル庫に対して補充する紙幣を繰り出し、リサイクル庫から回収する紙幣を収納する装填・回収庫とを、上から下に、リジェクト庫、入金庫、出金庫、リサイクル庫、及び装填・回収庫の順で、積み重ねるように配置している。
【先行技術文献】
【特許文献】
【０００３】
【特許文献１】特開２０００−１１２３７号公報
【発明の概要】
【発明が解決しようとする課題】
【０００４】
ところで、こうした紙幣入出金機においては、リジェクト庫、入金庫、出金庫、リサイクル庫、及び、装填・回収庫を構成する収納部の並び順に基づいて入金処理や、出金処理等の処理を行うように構成される。つまり、前記特許文献１の例では、入金処理時には、紙幣を、上から２番目に配置される収納部に収納するよう、紙幣入出金機は動作をし、出金処理時には、上から３番目に配置される収納部から紙幣を繰り出すよう、紙幣入出金機は動作をする。
【０００５】
一方で、リジェクト庫、入金庫、出金庫、リサイクル庫、及び、装填・回収庫を構成する収納部は、ほぼ同じ構成であり、外観上は、ほとんど区別できない。そのため、入金庫を構成すべく、例えば空にされた収納部を、上から３番目の出金庫を構成する位置に取り付けてしまったり、逆に、出金庫を構成すべく、予め紙幣が満杯にされた収納部を、上から２番目の入金庫を構成する位置に取り付けてしまったり、という収納部の取り付け間違いが発生する虞がある。このような取り付け間違いをしてしまうと、前述の通り、入金処理時には、紙幣を、上から２番目に配置されている収納部に収納しようとするため、紙幣を収納することができず、逆に、出金処理時には、紙幣を、上から３番目に配置されている収納部から繰り出そうとするため、紙幣を繰り出すことができなくなる。
【０００６】
ここに開示する技術は、かかる点に鑑みてなされたものであり、その目的とするところは、複数の収納部を備えた貨幣処理装置における制御の仕方を新しくし、それによって貨幣処理装置の運用の容易化を図ることにある。
【課題を解決するための手段】
【０００７】
ここに開示する貨幣処理装置は、筐体内の所定の位置にそれぞれ配置されかつ、貨幣を収納すると共に、収納している前記貨幣を繰り出すように構成された複数の収納部と、前記各収納部に接続される搬送路に沿って前記貨幣を搬送することにより、前記収納部に前記貨幣を収納する入金処理と行うと共に、前記収納部から前記貨幣を繰り出す出金処理を行うように構成された制御部と、を備える。
【０００８】
そして、前記複数の収納部はそれぞれ、当該収納部についての固有情報を含む情報部を有し、前記固有情報に関連して、前記貨幣を収納する際の、前記複数の収納部間の優先順位、及び、前記貨幣を繰り出す際の、前記複数の収納部間の優先順位が、それぞれ設定されており、前記制御部は、前記筐体内に配置された前記各収納部の前記情報部から前記固有情報を取得すると共に、前記複数の収納部のそれぞれから取得した前記固有情報に基づいて、前記入金処理時に前記貨幣を収納する前記収納部の優先順位を決定しかつ、当該決定した優先順位に従って前記貨幣を前記収納部に収納すると共に、前記出金処理時に前記貨幣を収納する前記収納部の優先順位を決定しかつ、当該決定した優先順位に従って前記貨幣を前記収納部から繰り出す。
【０００９】
ここで、「情報部」は、収納部の固有情報を含んでおり、その固有情報を貨幣処理装置が取得可能な構成であれば、様々な構成を採用することが可能である。一例として、情報部を、収納部のシリアル番号を記憶したＲＦタグによって構成すると共に、貨幣処理装置には、そのＲＦタグに記憶している情報（ここではシリアル番号）を読み取るリーダを設けてもよい。また、情報部を、シリアル番号を含むバーコードによって構成すると共に、貨幣処理装置には、そのバーコードリーダを設けてもよい。
【００１０】
また、「固有情報」は、当該収納部についての固有の情報であり、例えば前述したシリアル番号のような、各収納部を他の収納部とは区別可能にする情報を含む。また、後述するように、「当該収納部を、入金処理時に貨幣の収納を行う入金用収納部として機能させる」といったような収納部の役割乃至機能に関する設定情報も、ここでいう固有情報に含まれる。
【００１１】
この構成によると、各収納部が、貨幣処理装置の筐体内に配置されると、制御部は各収納部の情報部から固有情報を取得する。これによって、貨幣処理装置の筐体内に配置されている全ての収納部が、それぞれ特定される。
【００１２】
一方で、固有情報に関連して、貨幣を収納する際の複数の収納部間の優先順位、及び、貨幣を繰り出す際の複数の収納部間の優先順位がそれぞれ設定されており、制御部が、固有情報を取得することにより、筐体内に配置されている複数の収納部間において、貨幣を収納する際の優先順位、及び、貨幣を繰り出す際の優先順位がそれぞれ決定される。つまり、貨幣処理装置の筐体内における収納部の配設位置に基づいて、貨幣を収納する際の複数の収納部間の優先順位や、貨幣を繰り出す際の複数の収納部間の優先順位を決定する従来の制御の仕方とは異なり、各収納部の固有情報（前述の通り、各収納部の役割乃至機能に関する設定情報を含む）に基づいて、貨幣を収納する際の複数の収納部間の優先順位や、貨幣を繰り出す際の複数の収納部間の優先順位を決定するのである。このことにより、筐体内における各収納部の配設位置に拘わらず、情報部の固有情報によって特定された各収納部の役割乃至機能に従って、貨幣を収納する際には、適切な収納部に貨幣が収納され、貨幣を繰り出す際には、適切な収納部から貨幣が繰り出されることになる。従って、収納部を取り付ける位置を間違えるといった問題は起こり得ず、貨幣処理装置の運用が容易化する。
【００１３】
前記収納部は、前記入金処理時に前記貨幣の収納を行う入金用収納部、前記出金処理時に収納している前記貨幣の繰り出しを行う出金用収納部、及び、前記入金処理時に前記貨幣の収納を行うと共に、前記出金処理時に収納している前記貨幣の繰り出しを行うリサイクル用収納部を含んでいる、としてもよい。
【００１４】
前記制御部は、前記入金処理時に、前記入金用収納部に優先的に前記貨幣を収納すると共に、当該入金用収納部に前記貨幣を収納できないときには、前記リサイクル用収納部に前記貨幣を収納する、としてもよい。
【００１５】
こうすることで、入金された貨幣が、出金処理時に繰り出されることが抑制される。これは、入金された貨幣は、出金用貨幣としてはできるだけ利用しないとする運用において、特に有効である。
【００１６】
一方、入金用収納部に前記貨幣を収納できないとき、例えば入金用収納部が満杯になったときには、リサイクル用収納部に貨幣を収納するから、入金処理の最中に、処理を中断して入金用収納部の貨幣を回収するような事態を回避すると共に、貨幣の回収頻度を低下させることが可能になる。
【００１７】
前記制御部は、前記出金処理時に、前記出金用収納部に収納されている前記貨幣を優先的に繰り出すと共に、当該出金用収納部から前記貨幣を繰り出すことができないときには、前記リサイクル用収納部に収納されている前記貨幣を繰り出す、としてもよい。
【００１８】
出金用収納部は、通常、出金用貨幣として準備された貨幣を予め収納しているため、前記の構成によれば、出金処理時に、その出金用貨幣として準備された貨幣が優先的に繰り出されるようになる。つまり、出金処理の運用が適正化する。また、出金用収納部から前記貨幣を繰り出すことができないとき、例えば出金用収納部が空のときには、リサイクル用収納部から貨幣を繰り出すから、例えば出金処理の最中に、その処理を中断するような事態が回避されると共に、貨幣の補充頻度を低下させることが可能になる。
【００１９】
前記制御部は、前記入金処理時に、前記出金用収納部の収納量が所定量以下であるときには、前記リサイクル用収納部に優先的に前記貨幣を収納する、としてもよい。
【００２０】
つまり、出金用収納部の収納量が所定量以下であって、出金用収納部が、今後、空になることが予想されるときには、出金用の貨幣を確保するために、入金処理時に、入金用収納部ではなくて、リサイクル用収納部に優先的に貨幣を収納することが好ましい。こうすることで、出金用収納部が空になったとしても、リサイクル用収納部に収納している貨幣を繰り出して、出金処理を行うことが可能になるから、出金処理が中断してしまうことが回避されると共に、補充頻度が低減する。
【００２１】
記制御部は、前記貨幣を前記収納部に補充する補充処理をさらに行い、前記制御部は、前記補充処理時に、前記出金用収納部に優先的に前記貨幣を収納すると共に、当該出金用収納部に前記貨幣を収納できないときには、前記リサイクル用収納部に前記貨幣を収納する、としてもよい。
【００２２】
補充処理は、出金用の貨幣を貨幣処理装置に補充するための処理であることから、出金用収納部に優先的に貨幣を収納することで、補充処理が適正化する。このことは、出金処理の適正化にも寄与する。また、例えば出金用収納部が満杯になる等して、その出金用収納部に貨幣を収納できないときには、リサイクル用収納部に貨幣を収納することによって、より多量の出金用貨幣を確保することが可能になる。
【００２３】
前記収納部は、前記入金用収納部を複数、含み、前記制御部は、前記入金処理時に、複数の前記入金用収納部の内、収納量が少ない入金用収納部に優先的に前記貨幣を収納する、としてもよい。
【００２４】
こうすることで、複数の入金用収納部の間では、収納量が少ない入金用収納部に優先的に貨幣を収納することにより、複数の入金用収納部の間で、その収納量がほぼ均等となり、例えば特定の入金用収納部のみが満杯になってしまう事態が抑制される。
【００２５】
前記収納部は、前記出金用収納部を複数、含み、前記制御部は、前記出金処理時に、複数の前記出金用収納部の内、収納量が多い出金収納部から優先的に前記貨幣を繰り出す、としてもよい。
【００２６】
こうすることで、複数の出金用収納部の間では、収納量が多い出金用収納部から優先的に貨幣を繰り出すことにより、複数の出金用収納部の間で、その収納量がほぼ均等となり、例えば特定の出金用収納部のみが空になってしまう事態が抑制される。
【００２７】
尚、複数のリサイクル用収納部を含む場合、前記制御部は、前記入金処理時には、複数の前記リサイクル用収納部の内、収納量が少ないリサイクル用収納部に優先的に前記貨幣を収納すると共に、前記出金処理時には、複数の前記リサイクル用収納部の内、収納量が多いリサイクル用収納部から優先的に前記貨幣を繰り出す、としてもよい。
【発明の効果】
【００２８】
前記の貨幣処理装置によれば、各収納部の取り付け間違いがなくなるから、貨幣処理装置の運用の容易化を図ることができる。
【図面の簡単な説明】
【００２９】
【図１】紙幣入出金機の概略斜視図である。
【図２】紙幣入出金機の内部構造を示す概略図である。
【図３】紙幣入出金機の動作制御に係る構成を示す図である。
【図４】収納カセットの概略斜視図である。
【図５】紙幣入出金機における入金処理の動作説明図である。
【図６】紙幣入出金機における出金処理の動作説明図である。
【図７】紙幣入出金機における入金口補充処理の動作説明図である。
【図８】各収納カセットの設定情報の一例である。
【図９】図８とは異なる、各収納カセットの設定情報の一例である。
【図１０】図８、９とは異なる、各収納カセットの設定情報の一例である。
【発明を実施するための形態】
【００３０】
以下、本発明の実施形態を図面に基づいて詳細に説明する。ただし、以下の説明は、本質的に例示に過ぎず、本発明、その適用物あるいはその用途を制限するものではない。
【００３１】
紙幣処理装置は、紙幣を処理する多機能装置である。一般に、スーパーマーケットや銀行など、大量に現金が取り扱われる分野において用いられる。例えば、銀行の窓口などでの出納業務や、スーパーマーケットの売上金の管理業務などで、手間のかかる現金の入金や出金、計数、保管管理等の処理に用いられ、紙幣処理装置を用いることで、これら作業の高精度化、効率化を図ることができる。ここで説明する紙幣処理装置は、特に銀行のテラーカウンターに設置された紙幣入出金機として用いられる。従って、この紙幣入出金機を操作するユーザ（又はオペレータ）は、基本的にはテラーである。
【００３２】
ここで、以下の説明に登場する用語を定義する。「正常紙幣」とは、後述する識別部によって識別可能な紙幣をいい、「リジェクト紙幣」とは、識別部で識別不能な紙幣をいう。「正券」とは、正常紙幣のうち、汚れや破れ等が比較的少ない状態の紙幣をいい、「損券」とは、正常紙幣のうち、汚れや破れ等が比較的多い状態の紙幣をいう。また、正券は、「ＡＴＭ正券」と「テラー正券」とに区分され、「ＡＴＭ正券」とは、ＡＴＭやＣＤ（Cash Dispenser）等の入出金機や出金機に装填しても、内部の紙幣搬送機構等を円滑に通過し得る紙幣であり、例えば「こし」が強く、汚れが少ない正券がＡＴＭ正券となる。一方、「テラー正券」とは、ＡＴＭ内の紙幣搬送機構等を円滑に通過し得ない虞がある一方で、人手による流通は十分に可能な程度の正券である。ＡＴＭ正券は、正券レベルが相対的に高い正券であるのに対し、テラー正券は、正券レベルが相対的に低い正券である、と言い換えてもよい。
【００３３】
図１及び図２に、紙幣入出金機１（以下、単に入出金機１ともいう）を示す。この入出金機１は、いわゆる循環式の入出金機であり、出金処理時に払い出す紙幣には、入金処理時に収納部３に収納した紙幣が含まれる。入出金機１は、ＬＡＮやＷＡＮ等のネットワークを介して、又は、直接的に上位端末（図示省略）等と通信可能に接続し、システム化して用いることができる。入出金機１に接続される上位端末は１台だけでなく、複数台に接続し、いずれか一つの上位端末を選択的に切り替えて用いることができる。
【００３４】
入出金機１は、上部の処理部１１と、下部の金庫部１３とに大別される。処理部１１を構成する筐体１１１内には、入金口２１１を有する入金部２１と、出金口２３１を有する出金部２３と、紙幣の識別を行う識別部２５と、一時的に紙幣を収納する出金リジェクト一時保留部５１（以下、単に一時保留部５１ともいう）と、入金部２１、出金部２３、識別部２５及び一時保留部５１を相互に連結するループ搬送路４１１を含む搬送部４１と、が配設されている。一方、処理部１１を構成する筐体１１１の下側に配置される筐体１３１は、金庫部１３を構成する筐体であり、その内部に格納している収納部３を、所定以上のセキュリティレベルで防護するように構成されている（防護筐体１３１ともいう）。
【００３５】
金庫部１３には、複数の（図例では５個の）スタック式の収納カセット３１を含んで構成された収納部３が配設されている。防護筐体１３１の前面には、金庫部１３を開閉するための開閉扉１３３が設けられている。開閉扉１３３の前面には、電子錠１３３１が設けられ、この電子錠１３３１は、例えば、予め設定された暗証番号を入力することによって解錠することができる。電子錠１３３１の解錠により、開閉扉１３３を開放して、収納部３にアクセス（接触）することが可能になる。
【００３６】
入金口２１１は、例えば入金処理の際に入金する紙幣を投入するための口である。入金口２１１は、処理部側筐体１１１の上面において上向きに開口していて、複数枚の紙幣を一度に受け入れ可能に構成されている。入金部２１はまた、入金口２１１に投入された複数枚の紙幣を、一枚ずつ、ループ搬送路４１１に繰り出す繰り出し機構を備えている。
【００３７】
出金口２３１は、例えば出金処理の際に紙幣を払い出すための口である。出金口２３１は、入金口２１１よりも奥行き方向の手前側で、処理部側筐体１１１の上面において上向きに開口している。出金口２３１は、搬送されてきた紙幣を集積し、複数枚の紙幣を一度に保持可能なリフトを有している（図示省略）。リフトは、リフト機構により、紙幣の抜き取り可能な払出位置と、紙幣の抜き取り不能な待機位置とに移動する。
【００３８】
識別部２５は、ループ搬送路４１１上に配設されて、そのループ搬送路４１１に沿って搬送される紙幣の一枚一枚について、その真偽、金種及び正損を識別するように構成されている。具体的には、画像センサ、赤外線センサ、紫外線センサ、及び磁気センサ等の、紙幣の特徴を取得するセンサを搭載し、搬送される紙幣の特徴が、記憶している各種紙幣の特徴と一致するかを判定し、金種、真偽、及び正損を識別する。この内、正損に関し、識別部２５は、ＡＴＭ正券、テラー正券及び損券を識別する。本入出金機１の識別部２５はまた、紙幣に印字されている記番号を光学的に読み取る機能を有している。ここで、記番号の読み取りは、紙幣における所定の位置に印字されている記番号の画像を取得し、その取得した画像に基づいて、記番号の各桁の文字や数字を認識することである。尚、識別部２５が記番号の読み取りを行うのではなく、識別部２５とは別の読取部を、例えばループ搬送路４１１上に配置してもよい。また、識別部２５におけるセンサ以外の機能を、後で述べる制御部５１３が行ってもよい。尚、記番号の読み取りは省略することも可能である。
【００３９】
搬送部４１は、処理部側筐体１１１内においてエンドレスに設けられたループ搬送路４１１を備えている。紙幣は、このループ搬送路４１１に沿って図２における時計回り方向及び反時計回り方向に搬送される。このループ搬送路４１１は、図示は省略するが、多数のローラ、複数のベルト、これらを駆動するモータ、搬送される紙幣を検出するセンサ及び複数のガイドの組み合わせによって構成されている。ループ搬送路４１１は、その搬送路に沿って、紙幣と紙幣との間に所定間隔を隔てた状態で、紙幣を一枚ずつ短手搬送する。ループ搬送路４１１と入金口２１１との間は、投入路４１３によって互いに接続されており、入金口２１１に投入された紙幣は、この投入路４１３を通ってループ搬送路４１１まで搬送される。
【００４０】
ループ搬送路４１１には、後述する第１〜第４の４つの収納カセット３１のそれぞれに接続される分岐路４１７が、図示省略の分岐機構を介して接続されており、各分岐機構の動作制御によって、ループ搬送路４１１上を搬送されている紙幣が選択的に、分岐路４１７を通じて４つの収納カセット３１のいずれかに搬送されてそこに収納されると共に、いずれかの収納カセット３１から繰り出された紙幣が、分岐路４１７を介してループ搬送路４１１に搬送されるようになる。
【００４１】
ループ搬送路４１１にはまた、払出路４１５が、紙幣の搬送方向を切り替える分岐機構（図示省略）を介してそれぞれ接続されている。払出路４１５の先端は、出金口２３１に接続されている。分岐機構は、互いに異なる３方向に延びる搬送路の集合位置において、所定方向から搬送されてくる紙幣を、それとは別の２方向それぞれに選択的に搬送させるように動作する。分岐機構の具体的な構成は、国際公開第２００９／０３４７５８号に例示されている。この構成によって、ループ搬送路４１１上を搬送されている紙幣は、分岐機構の動作制御によって選択的に、払出路４１５を通って出金口２３１に搬送される。
【００４２】
ループ搬送路４１１にはさらに、一時保留部５１に接続される第１接続路４１６と、後述する第５収納カセット３１−５に接続される第２接続路４１８と、第４収納カセット下部３１−４Ｌに接続される第３接続路４１９とが、それぞれ図示省略の分岐機構を介して接続されている。この内、第３接続路４１９は、金庫部１３を下向きに延びて配設されており、その下流端が、第４収納カセット下部３１−４Ｌに接続されている。
【００４３】
これら第１〜第３接続路４１６、４１８、４１９の接続位置に設けられた各分岐機構もまた、互いに異なる３方向に延びる搬送路の集合位置において、所定方向から搬送されてくる紙幣を、それとは別の２方向それぞれに選択的に搬送させるように動作する。この構成によって、ループ搬送路４１１上を時計回り方向又は反時計回りに搬送されている紙幣は、分岐機構の動作制御によって選択的に、第１接続路４１６を通って一時保留部５１に搬送されるか、第２接続路４１８を通って第５収納カセット３１−５に搬送されるか、第３接続路４１９を通って、第４収納カセット下部３１−４Ｌに搬送される。また、一時保留部５１、第５収納カセット３１−５、又は、第４収納カセット下部３１−４Ｌから繰り出され、第１、第２又は第３接続路４１６、４１８、４１９を通って搬送されてきた紙幣が、ループ搬送路４１１上で時計回り又は反時計回り方向に搬送される。
【００４４】
収納部３は、前述したように、図例では第１〜第５のスタック式の収納カセット３１を含んで構成されている。ここで、以下の説明において、各々の収納カセットを総称する場合には、符号「３１」を付し、第１、第２、第３…の、各々の収納カセットを区別する場合には、符号「３１−１、３１−２、３１−３…」を付す。尚、収納カセット３１の数は特に限定されず、１個以上で、適宜の数を設定すればよい。第１〜第５の収納カセット３１の内、第１〜第４の収納カセット３１−１〜３１−４は、この例では、装置の奥行き方向に並んで配設されている。また、第５の収納カセット３１−５は、金庫部１３内において、第３接続路４１９を挟んだ第４収納カセット３１−４とは反対側の位置に配設されている。
【００４５】
図２に仮想的に示すように、収納部３は、金庫部１３の開閉扉１３３を開けた状態で、装置の手前に引き出すことができる。つまり、各収納カセット３１は、防護筐体１３１に対して奥行き方向にスライド移動が可能に設けられたトレイ１３２の所定の取り付け位置に対し、取り付け、取り外しができるように構成されている。
【００４６】
図４に収納カセット３１の一例を示す。第１〜第３、及び第５の収納カセット３１−１、３１−２、３１−３、３１−５や、第４の収納カセット３１−４は、互いに同じような外観を呈しており、上下方向に細長い形状を有している。各収納カセット３１の上面には、紙幣の通過が可能な出入口３０００がカセットの内外を連通するように形成されており、その出入口３０００に、前述した分岐路４１７又は第２接続路４１８が着脱可能に接続される。収納カセット３１の側面には、揺動開閉式のカセットドア３００２が設けられている。また、各収納カセット３１には、他の収納部と区別するための固有情報を含む情報部３００１が設けられている。この情報部３００１は、この例では、ＲＦタグによって構成されていて、各収納カセット３１のシリアル番号を記憶している（図８も参照）。尚、ＲＦタグからなる情報部３００１の情報は、収納カセット３１がそれぞれ、金庫部１３内の所定の位置に配置された状態で、入出金機１に設けられたカセット情報読取部６１（つまりリーダ、図３参照）によって、読み取られる。
【００４７】
各収納カセット３１の内部には、図２に示すように、そこに集積される紙幣の量に応じて昇降する集積台３１１が配設されている。第１〜第３及び第５収納カセット３１−１、３１−２、３１−３、３１−５は、ループ搬送路４１１から、各カセットの出入口を通ってその内部に送り込まれた紙幣を、集積台３１１の上で、下から上の順に積み重ねて収納するように構成され、かつ、集積台３１１上に積み重ねられた紙幣を、上から下の順に一枚ずつ出入口を通じてループ搬送路４１１に繰り出すことが可能に構成されている。
【００４８】
これに対し、第４収納カセット３１−４は、その内部に仕切りが設けられており、これによって第４収納カセット３１−４は、上側のカセット上部（第４収納カセット上部３１−４Ｕ）と、下側のカセット下部（第４収納カセット下部３１−４Ｌ）に分割されている。第４収納カセット上部３１−４Ｕの出入口は、その上面に形成されている。第４収納カセット下部３１−４Ｌの出入口は、その側面に形成されている。第４収納カセット上部３１−４Ｕの出入口には、ループ搬送路４１１から分岐した分岐路４１７が接続され、第４収納カセット下部３１−４Ｌの出入口には、第３接続路４１９が接続されている。
【００４９】
これにより、第４収納カセット上部３１−４Ｕは、第１収納カセット３１−１等と同様に、紙幣を収納、繰り出すことが可能に構成されている。対して、第４収納カセット下部３１−４Ｌは、ループ搬送路４１１から、第３接続路４１９を通ってその内部に送り込まれた紙幣を、集積台３１１の上で、下から上の順に積み重ねて収納するように構成され、かつ、集積台３１１上に積み重ねられた紙幣を、上から下の順に一枚ずつ第３接続路４１９及びループ搬送路４１１に繰り出すことが可能に構成されている。
【００５０】
一時保留部５１は、前述したように、第１接続路４１６に接続されている。この一時保留部５１は、例えば出金処理時に発生したリジェクト紙幣を一時的に収納する収納部である。一時保留部５１は、スタック式の収納カセット３１等とは異なり、巻き取り方式に構成されている。
【００５１】
つまり、この巻き取り方式の一時保留部５１は、特開２０００−１２３２１９号公報に例示されるように、概略矩形箱状の筐体内に、紙幣をガイドする一枚のテープ、ガイド部材、及び、紙幣と共にテープを巻き取るリールを備えて構成されるか、又は、本件出願人が先に出願したＰＣＴ／ＪＰ２００９／０６６７２９に例示されるように、筐体内に、紙幣を挟む２枚のテープ、及び、紙幣を挟み込んだ２枚のテープを巻き取るリールを備えて構成される。いずれの構成においても、巻き取り方式の一時保留部５１は、紙幣を一枚ずつ巻き取って収納すると共に、その収納した順番とは逆順で、紙幣を一枚ずつ繰り出す、いわゆる先入れ後出しとなるように紙幣を収納する。
【００５２】
図３は、入出金機１の動作制御に係る構成を示している。入出金機１は、例えば周知のマイクロコンピュータをベースとした制御部５１３を備えている。制御部５１３には、前述した入金部２１、出金部２３、第１〜第５収納カセット３１を含む収納部３、一時保留部５１、及び搬送部４１が、信号の送受信可能に接続されている。これらの各部２１，２３，３，４１，５１は、例えば図２に示す、収納カセット３１の出入口に設けられかつ、紙幣の通過を検知する通過センサ３１２のような、搬送中の紙幣を検知するといった機能を有する各種のセンサを含んでおり、各種センサの検知信号は制御部５１３に入力される。制御部５１３は、入力された検知信号等に基づいて制御信号を出力し、各部２１，２３，３，４１，５１は、その制御信号に従って動作する。
【００５３】
制御部５１３にはまた、識別部２５が接続されており、識別部２５は、識別結果及び記番号の読み取り結果を制御部５１３に提供する。さらに、入出金機１を操作するオペレータに対するヒューマンインターフェース部分としての操作部５５が接続されている。例えばＬＡＮやシリアルバスを通じて、入出金機１が上位端末等との間で信号の送受信を行うための通信部５７も制御部５１３に接続されている。各種の情報を記憶するための、例えばハードディスクドライブやフラッシュメモリ等の汎用のストレージデバイスにより構成される記憶部５９も制御部５１３に接続されている。
【００５４】
記憶部５９は、入出金機１が収納している紙幣の金種別枚数又は金額である在高を少なくとも記憶する。また、記憶部５９は、収納カセット３１毎の在高も記憶する。具体的には、記憶部５９はカウンタを有し、各カセットへの紙幣の収納時及び各カセットからの紙幣の繰出時に、リアルタイムに紙幣のカウントを行う現物在高として、各収納カセット３１毎にカウンタが設定される。また、入金処理や出金処理が完了したときにも機内在高としてカウンタが設定される。また、記憶部５９は、入出金機１において実行された各種処理の履歴をログとして記憶する。
【００５５】
入出金機１には、各種の情報を表示するため、図３に仮想的に示すように、例えばフラットパネルディスプレイからなる表示部５１１が装着可能に構成されている。この表示部５１１もまた、制御部５１３に接続される。表示部５１１をタッチパネル式のディスプレイとして、表示部５１１と操作部５５とを一体にしてもよい。
【００５６】
制御部５１３は、通信部５７を通じて受けた上位端末からの指令、及び／又は、操作部５５を通じて受けた各種の指令に応じて、各部２１，２３，２５，３，４１，５１，５５，５７，５９，５１１の動作を制御する。
【００５７】
制御部５１３にはまた、前述したように、各収納カセット３１に設けられた情報部３００１の固有情報を読み取るカセット情報読取部６１が接続されており、金庫部１３内の所定位置にそれぞれ配置された収納カセット３１の固有情報が、カセット情報読取部６１を通じて制御部５１３に提供される。
【００５８】
（入金処理）
入金処理は、入出金機１に入金（収納）された正常紙幣を収納カセット３１に収納する処理である。入金口２１１に投入された紙幣は、識別部２５による識別結果と、予め設定された収納カセット設定情報とに従って、いずれかの収納カセット３１に収納される。尚、収納カセット設定情報の詳細は、後述する。
【００５９】
図５に、入金処理時における入出金機１の動作を示す。入金する紙幣を入金口２１１に投入した状態で、例えば上位端末等の操作によって入金処理の開始コマンドを、入出金機１に入力する。入金部２１の繰り出し機構は、同図に矢印（実線）で示すように、入金口２１１の紙幣を一枚ずつ繰り出し、搬送部４１は、各紙幣を識別部２５に搬送する。識別部２５は、その紙幣の識別や計数、記番号の読み取り（これらを包括的に識別ともいう）を行う。
【００６０】
搬送部４１はまた、正常紙幣を、同図に矢印（実線）で示すように、その識別結果及び予め設定された収納カセット設定情報に従って、所定の収納カセット３１に収納する。すなわち、各紙幣は、金種別や正損別に応じて、第１〜第５のいずれかの収納カセット３１に収納される。
【００６１】
一方、搬送部４１は、リジェクト紙幣を、同図に矢印（破線）で示すように、出金口２３１に払い出す。尚、入金処理時に発生したリジェクト紙幣は、入金口２１１に再度投入され、識別部２５による識別が、もう一度行われることになる。
【００６２】
入金処理において、各収納カセット３１に紙幣が収納される度に、通過センサ３１２の検知結果を受けて記憶部５９に記憶している在高が更新される。尚、通過センサ３１２の検知結果をカウントしておき、入金処理が終了した後に、記憶部５９に記憶している在高を更新してもよい。
【００６３】
（出金処理）
出金処理は、入出金機１に収納されている正常紙幣を払い出す処理である。図６に、その動作を示す。具体的には、上位端末等において、出金金額を指定して最小構成枚数の金種と枚数を自動的に指定するか、或いは金種と枚数を直接指定することにより、所定の出金操作を行うことによって、出金処理は開始する。収納部３は、同図に矢印（実線）で示すように、指定された金種の紙幣を、それが収納されている収納カセット３１から、必要な枚数だけ繰り出す。搬送部４１は、繰り出された紙幣を識別部２５に搬送し、識別部２５が識別と、記番号の読み取りとを行った後に、正常紙幣は、出金口２３１に払い出される。
【００６４】
出金処理時に発生するリジェクト紙幣は、同図に矢印（破線）で示すように、一時保留部５１に搬送され、収納される。一時保留部５１に収納された紙幣は、必要に応じて、出金処理の終了後に、各収納カセット３１に収納される。
【００６５】
一連の処理が終了すると、上位端末等からの指示により、リフトが払出位置に移動し、出金口２３１に払い出された紙幣は、紙幣の抜き取り待ちとなる。紙幣が抜き取られると、リフトは待機位置に移動する。
【００６６】
出金処理においても、各収納カセット３１から紙幣が繰り出される度に、通過センサ３１２の検知結果を受けて記憶部５９に記憶している在高が更新される。尚、通過センサ３１２の検知結果をカウントしておき、出金処理が終了した後に、記憶部５９に記憶している在高を更新してもよい。
【００６７】
（入金口補充処理）
入金口補充処理は、収納カセット３１に外部から紙幣を補充する処理である。正券のみを各収納カセット３１に補充することができる。具体的には、図７に示すように、入金口２１１に投入された紙幣を識別し、入出金機１が取り扱う金種の正券のみを該当する収納カセット３１に収納し、それ以外の紙幣、例えば損券やリジェクト紙幣は出金口２３１に払い出す。
【００６８】
入金口補充処理における入出金機１内での動作は、直接入金処理と基本的には同様である。ただし、搬送部４１は、同図に矢印（実線）で示すように、識別部２５において入出金機１が取り扱う金種の正券と識別された紙幣を、該当する各収納カセット３１に搬送する。搬送部４１は、それ以外の紙幣、例えば損券やリジェクト紙幣、取り扱い対象外の紙幣であると識別部２５で識別された紙幣は、同図に矢印（破線）で示すように、出金口２３１に搬送する。
【００６９】
（収納カセット設定情報）
次に、図８を参照しながら、この入出金機１における第１〜第５収納カセット３１−１〜３１−５の収納カセット設定情報１００について説明する。収納カセット設定情報１００は、記憶部５９が記憶しており、制御部５１３は、記憶部５９が記憶しているこの収納カセット設定情報１００を参照し、この設定情報に従って入金処理、出金処理及び補充処理を含む各種の処理を実行する。
【００７０】
収納カセット設定情報１００には、各収納カセット３１のシリアル番号の情報が含まれており、このシリアル番号の情報は、各収納カセット３１の情報部３００１に記憶されているシリアル番号と対応する。収納カセット設定情報１００のシリアル番号の情報は、各収納カセット３１と、それについての設定情報とを紐付けするための情報である。
【００７１】
この入出金機１では、収納カセット３１の設定として、紙幣の収納のみを行う入金用収納カセット（図８では、「入金専用」と示される）と、収納している紙幣の繰り出しのみを行う出金用収納カセット（「出金専用」と示される）と、紙幣の収納と共に、収納している紙幣の繰り出しを行うリサイクル用収納カセット（「リサイクル」と示される）との３種類のカセット設定が設けられている。
【００７２】
図８の例では、市場での流通量を考慮して、第１収納カセット３１−１は、１００元を収納するリサイクル用収納カセットに設定され、第２収納カセット３１−２は、１００元を収納する入金用収納カセットに設定され、第３収納カセット３１−３は、１００元を収納する出金用収納カセットに設定されている。つまりこの例では、１００元を収納可能な収納カセットは、第１〜第３の３つ、存在している。また、第４収納カセット上部３１−４Ｕは、１元を収納する出金用収納カセットに、第４収納カセット下部３１−４Ｌは、１０元を収納する出金用収納カセットにそれぞれ設定されると共に、第５収納カセット３１−５は、１００元以外の全ての金種を収納可能な入金用収納カセットに設定されている。入金用収納カセットは、収納している紙幣を繰り出すことがないため、複数の金種を収納することが可能である。
【００７３】
収納カセット設定情報１００ではまた、各収納カセット３１に収納する紙幣の金種を設定するだけでなく、収納する紙幣の正損を設定可能に構成されている（「収納紙幣」参照）。具体的には、１００元のリサイクル用収納カセットに設定されている第１収納カセット３１−１は、基本的にはＡＴＭ正券を収納するように設定されている。リサイクル用収納カセットは、収納している紙幣を出金用紙幣として繰り出す場合があるため、出金用紙幣として利用可能なＡＴＭ正券のみを収納することが好ましい。但し、詳しくは後述するが、所定の条件下では、テラー正券を、第１収納カセット３１−１に収納する場合がある。同様に、１００元の出金用収納カセットに設定されている第３収納カセット３１−３は、ＡＴＭ正券のみを収納するように設定されている。出金用収納カセットには、予め用意した出金用紙幣（ＡＴＭ正券である）が収納されることになる。これに対し、１００元の入金用収納カセットに設定されている第２収納カセット３１−２は、ＡＴＭ正券、テラー正券及び損券のいずれも、収納可能に設定されている。前述の通り、入金用収納カセットは収納している紙幣を繰り出すことがないため、正券は勿論のこと、損券を収納することも可能である。
【００７４】
同様に、それぞれ出金用収納カセットに設定されている第４収納カセット上部３１−４Ｕ及び第４収納カセット下部３１−４Ｌは、ＡＴＭ正券のみを収納するように設定されると共に、入金用収納カセットに設定されている第５収納カセット３１−５は、ＡＴＭ正券、テラー正券及び損券のいずれも収納可能に設定されている。従って、図８に示す収納カセット設定情報１００では、損券は、第２収納カセット３１−２及び第５収納カセット３１−５の双方に収納可能である。
【００７５】
このように収納カセット設定情報１００に含まれる、「カセット設定」「収納金種」「収納紙幣」の情報は、各収納カセット３１の、入出金機１における役割乃至機能を特定する情報ということができる。
【００７６】
そうしてこの入出金機１においては、金庫部１３内に配置されている各収納カセット３１の配設位置に基づいて、入金処理、出金処理及び補充処理等を行うのではなく、金庫部１３内に配置されている各収納カセット３１の役割乃至機能を、収納カセット設定情報１００に基づいて特定し、入金処理、出金処理及び補充処理等を実行するように構成されている。このような制御を行うことにより、各収納カセット３１は、金庫部１３内における配置の制限を受けないという利点がある。
【００７７】
すなわち、金庫部１３内に配置されている各収納カセット３１の配設位置に基づいて各処理を行う場合は、例えば第２収納カセット３１−２は、図２に示すように、金庫部１３内における奥行き方向の奥側から２番目の位置に取り付けなければ、例えば１００元の入金用収納カセットとして機能させることはできず、同様に、第３収納カセット３１−３も奥側から３番目の位置に取り付けなければ、例えば１００元の出金用収納カセットとして機能させることはできない。仮に第２収納カセット３１−２と第３収納カセット３１−３とを入れ替えて取り付けてしまうと、第２収納カセット３１−２は、１００元の出金用収納カセットとして機能させることになってしまうと共に、第３収納カセット３１−３は、１００元の入金用収納カセットとして機能させることになってしまう。入金用収納カセットは、空の状態で入出金機１に取り付けられる一方、出金用収納カセットは、出金用紙幣が満杯の状態で入出金機１に取り付けられることを鑑みれば、収納カセット３１を取り付け間違いは、入出金機１の正常な運転を阻害することになる。
【００７８】
これに対し、収納カセット設定情報１００に基づいて各収納カセット３１を特定し、入金処理、出金処理及び補充処理等を実行するように構成されている前記の入出金機１では、原則的には、収納カセットの取り付け間違いはなくなる。つまり、各収納カセット３１を入出金機１に取り付けたときには、カセット情報読取部６１が、各収納カセット３１の情報部３００１の情報、つまり、各収納カセット３１のシリアル番号を読み取ることで、どの収納カセット３１がどこに取り付けられているかを、特定することが可能になる。そうして、入出金機１は、収納カセット設定情報１００を参照することにより、入出金機１に取り付けられた各収納カセット３１の役割乃至機能を特定することが可能になるから、各処理を実行する際に、収納カセット設定情報１００に基づき搬送部４１を適切に制御することで、各収納カセット３１を、設定された役割に従って、正常に機能させることが可能になる。こうして、収納カセット３１の取り付け間違いがなくなるため、入出金機１の運用が容易化する。
【００７９】
この入出金機１ではさらに、前述した収納カセット設定情報１００に基づき、入金処理時や補充処理時に紙幣を収納する収納カセット３１の優先順位を決定すると共に、出金処理時に紙幣を繰り出す収納カセット３１の優先順位を決定する。具体的には、図８に「同一金種収納カセット優先順位」に示すように、入金処理時には、リサイクル用収納カセットである第１収納カセット３１−１の方が、入金用収納カセットである第２収納カセット３１−２よりも優先的に紙幣が収納される。従って、１００元のＡＴＭ正券は、第１及び第２収納カセット３１−１、３１−２のいずれにも収納可能であるものの、第１収納カセット３１−１に収納される。このことは、出金用紙幣をできる限り多く確保して、出金用紙幣の準備量を減らし、資金効率を高める上で有利になる。
【００８０】
一方、１００元のＡＴＭ正券であっても、リサイクル用収納カセットである第１収納カセット３１−１に収納することができないとき、例えば第１収納カセット３１−１が満杯であるときには、優先順位の低い第２収納カセット３１−２、つまり、入金用収納カセットに収納される。こうして、１００元のＡＴＭ正券は、第１収納カセット３１−１と第２収納カセット３１−２とに分けて収納することになるため、特定の収納カセット３１が満杯になってしまって、その回収のために入金処理を中断しなければならないことが抑制され、また、回収処理の頻度が低下する。これは、入出金機１の運転を効率化する。
【００８１】
これに対し、入金処理において、１００元のテラー正券及び損券は、入金用収納カセットである第２収納カセット３１−２に収納される。但し、図８に示すように、１００元の出金用収納カセットである第３収納カセット３１−３の収納量が所定量以下であるときには、テラー正券は、リサイクル用収納カセットである第１収納カセット３１−１にも収納される。これは、１００元の出金用紙幣が、今後、不足してしまい、出金処理が中断することも予想されることから、出金用紙幣として利用し得る１００元紙幣をできるだけ多く確保するためである。こうすることで、処理の中断が可能な限り回避される。
【００８２】
尚、１００元以外の入金紙幣は、ＡＴＭ正券、テラー正券及び損券を問わず、全て第５収納カセット３１−５に収納されることになる。
【００８３】
一方、出金処理において、１００元の出金を行う際には、図８に示す収納カセット設定情報１００によれば、出金用収納カセットである第３収納カセット３１−３から優先的に紙幣が繰り出される。出金用収納カセットには、予め用意した出金用紙幣が収納されているためである。そして、第３収納カセット３１−３から紙幣を繰り出すことができないとき、例えば第３収納カセット３１−３が空のときには、リサイクル用収納カセットである第１収納カセット３１−１から、紙幣を繰り出す。こうすることで、出金処理が中断することなく、処理を完了することが可能になる。前述の通り、第１収納カセット３１−１には、基本的にはＡＴＭ正券のみが収納されているため、出金用紙幣として適切な紙幣を、出金することが可能である。
【００８４】
図８に示す収納カセット設定情報１００ではさらに、出金処理において、第１収納カセット３１−１から紙幣を繰り出すことができないとき、例えば第１収納カセット３１−１も空のときには、正券のみが収納されているという条件下で、入金用収納カセットである第２収納カセット３１−２から紙幣を繰り出すように設定されている。このことは、出金処理の途中で、その処理が中断してしまうことをできる限り回避する上で特に有効である。
【００８５】
尚、出金処理において、１元及び１０元の紙幣は、それぞれ、第４収納カセット上部３１−４Ｕ及び第４収納カセット下部３１−４Ｌから繰り出されることになる。
【００８６】
次に、１００元の紙幣を補充する補充処理においては、出金用収納カセットである第３収納カセット３１−３に優先的に紙幣が収納され、第３収納カセット３１−３が、例えば満杯になってそれ以上に紙幣を収納することができなくなったときには、リサイクル用収納カセットである第１収納カセット３１−１に、紙幣が収納されるようになる。こうして、出金用紙幣として準備された補充用の紙幣は、出金用収納カセットに優先的に収納されるため、補充処理の適正化、ひいては出金処理の適正化が図られる。また、出金用紙幣を、リサイクル用収納カセットにも収納することにより、可能な限り大量の出金用紙幣が確保される。
【００８７】
次に、図９は、図８とは異なる設定の、収納カセット設定情報１０１を示している。図８と図９とを比較すると、入金処理時における収納カセット３１の優先順位の設定が相違している。
【００８８】
つまり、入金処理時に１００元のＡＴＭ正券は、入金用収納カセットである第２収納カセット３１−２に優先的に収納される。そうして、第２収納カセット３１−２に紙幣を収納することができないとき（例えば第２収納カセット３１−２が満杯になったとき）には、リサイクル用収納カセットである第１収納カセット３１−１に１００元のＡＴＭ正券が収納されるようになる。これは、出金用紙幣は予め準備した紙幣をなるべく使用し、入金処理において収納した紙幣は、出金用紙幣としてはできる限り使用しない、とする運用において特に有効な設定である。
【００８９】
図９に示す収納カセット設定情報１０１ではまた、出金用収納カセットである第３収納カセット３１−３の収納量に応じて、入金処理時の優先順位を変更するように設定されている。つまり、第３収納カセット３１−３の収納量が所定枚数以下のときには、前記とは逆に、リサイクル用収納カセットである第１収納カセットに優先的に１００元のＡＴＭ正券を収納する。ここで、「所定枚数」は、例えば予め設定されているニアエンプティ量としてもよい。こうすることで、出金用収納カセットの収納量が比較的少なくて、出金用の紙幣が、今後、不足することが予想されるときには、出金用紙幣として利用可能なＡＴＭ正券をリサイクル用収納カセットに優先的に収納することで、出金用紙幣の不足をできる限り回避して、例えば出金処理の中断といった事態が抑制される。
【００９０】
図１０は、図８の収納カセット設定情報１００、及び、図９の収納カセット設定情報１０１とは相違する、収納カセット設定情報１０２を例示している。この収納カセット設定情報１０２では、リサイクル用収納カセットの設定がなく、第１及び第２収納カセット３１−１、３１−２は共に、入金用収納カセットに設定されている。
【００９１】
このような収納カセット設定情報１０２においては、入金処理時に、１００元の紙幣（ＡＴＭ正券、テラー正券及び損券を含む）は、第１及び第２収納カセット３１−１，３１−２のいずれにも収納可能であるが、ここでは、第１収納カセット３１−１の収納量と、第２収納カセット３１−２の収納量とが比較され、収納枚数の少ない方の収納カセットに、優先的に紙幣が収納するように設定されている。こうすることで、２つの入金用収納カセットに対し、ほぼ均等に紙幣を収納させることが可能になり、一方の収納カセット３１がすぐに満杯になってしまい、入金処理が中断してしまうようなことができるだけ回避される。
【００９２】
また、図１０に示す収納カセット設定情報１０２では、リサイクル用収納カセットが設定されていないため、出金処理時には、出金用カセットである第３収納カセット３１−３から紙幣が繰り出されることになる。また、補充処理時にも、この第３収納カセット３１−３に紙幣が収納されることになる。
【００９３】
尚、図示は省略するが、図１０に示す収納カセット設定情報１０２とは異なり、出金用収納カセットが複数設定されているときには、その出金処理時には、複数の出金用収納カセット間で収納量を比較し、収納量の多い収納カセット３１から優先的に紙幣を繰り出すことが好ましい。こうすることで、複数の出金用収納カセットの収納量が、ほぼ均等になる。また、補充処理時には、収納量の少ない出金用収納カセットに優先的に、紙幣を収納することが好ましい。こうすることで、複数の出金用収納カセットの収納量が、ほぼ均等になる。
【００９４】
また、リサイクル用収納カセットが複数設定されているときには、その入金処理時には、複数のリサイクル用収納カセット間で収納量を比較し、収納量の少ない収納カセットに優先的に紙幣を収納する一方、その出金処理時には、収納量の多い収納カセットから優先的に紙幣を繰り出すことが好ましい。
【００９５】
前述した収納カセット設定情報は、可能な範囲で互いに組み合わせることも可能である。
【００９６】
尚、ここに開示する技術は、前述した構成の入出金機１に適用することに限らず、これとは異なる種々の構成の入出金機に適用することが可能である。
【００９７】
各収納カセット３１を、他の収納カセットと区別するための構成は、前述したＲＦタグとリーダとの組み合わせには限定されず、様々な公知の構成を適宜採用することが可能である。例えば各収納カセット３１に、シリアル番号等の固有情報に係るバーコードを取り付ける一方、入出金機１側には、そのバーコードを光学的に読み取るリーダ（つまり、カセット情報読取部）を設けてもよい。また、各収納カセット３１にメモリを設け、各収納カセット３１をトレイ１３２に取り付けた際に電気的に接続される端子を通じて、メモリに記憶している固有情報を、制御部５１３に提供するように構成してもよい。さらに、各収納カセット３１に、所定の配列となるように配置された複数の突起（但し、突起の配列は全ての収納カセット３１において互いに相違する）と、収納カセット３１をトレイ１３２に取り付けた状態で、その各突起によって押し操作されることで複数の突起の配列を検知するスイッチ（つまり、カセット情報読取部）とによって構成してもよい。
【００９８】
さらに、前記の構成では、各収納カセット３１に取り付けた情報部３００１には、シリアル番号のみが記憶されており、当該シリアル番号と、そのシリアル番号に対応する収納カセット３１の役割乃至機能との紐付けは、入出金機１の記憶部５９に記憶させた収納カセット設定情報１００〜１０２に基づいて行うようにしているが、各収納カセット３１に取り付けた情報部３００１が、当該カセットの各設定情報、つまりリサイクル用収納カセットであるか、入金用収納カセットであるか、出金用収納カセットであるかの「カセット設定」、そこに収納する金種の情報である「収納金種」、及び、そこに収納する紙幣の正損の情報である「収納紙幣」を記憶しておき、入出金機１のカセット情報読取部６１は、情報部３００１から、これらの収納カセット設定情報を読み取るようにしてもよい。
【００９９】
また、ここに開示する技術が適用される入出金機は、紙幣の入出金機に限定されず、硬貨の入出金機に適用してもよいし、紙幣及び硬貨の入出金機（つまり、貨幣入出金機）に適用してもよい。
【符号の説明】
【０１００】
１  紙幣入出金機（貨幣処理装置）
１３１  防護筐体（筐体）
２１  入金部
２１１  入金口
２５  識別部
３１  収納カセット（収納部）
３００１  情報部
４１１  ループ搬送路（搬送路）
４１３  投入路（搬送路）
４１５  払出路（搬送路）
４１６  第１接続路（搬送路）
４１７  分岐路（搬送路）
４１８  第２接続路（搬送路）
４１９  第３接続路（搬送路）
５１３  制御部
【図１】
2013205908.tif 000003
【図２】
2013205908.tif 000004
【図３】
2013205908.tif 000005
【図４】
2013205908.tif 000006
【図５】
2013205908.tif 000007
【図６】
2013205908.tif 000008
【図７】
2013205908.tif 000009
【図８】
2013205908.tif 000010
【図９】
2013205908.tif 000011
【図１０】
2013205908.tif 000012